Podtech/llm-jp-corpus-v4-ja_patent huggingface dataset:
(57)【要約】      （修正有）【課題】子供を乗せたベビーカーを使用しながら買い物をする場合、片手に買い物かごを持つ必要があるため、もう一方の手でベビーカーを押す必要がある。片手でベビーカーを押すことにより、操作が不安定となるため、人にぶつかる、陳列棚にぶつかるなどの危険な状況にならないようする。【解決手段】ベビーカーの持ち手下側に配置されるベビーカー用買い物かご載せ台であって、前記ベビーカー用買い物かご載せ台にはベビーカーのフレームに取付けるための取付構造を備え、床面側にキャスターが形成されることを特徴とするベビーカー用買い物かご載せ台とでベビーカー用買い物かご載せ台を構成し、子供を乗せたベビーカー使用しながらでも、買い物かごを持たずに買い物ができるベビーカー用買い物かご載せ台とした。【選択図】図１
2018070129.tif 000002
【特許請求の範囲】
【請求項１】
ベビーカーの持ち手下側に配置されるベビーカー用買い物かご載せ台であって、前記ベビーカー用買い物かご載せ台にはベビーカーのフレームに取付けるための取付構造を備え、床面側にキャスターが形成されることを特徴とするベビーカー用買い物かご載せ台。
【発明の詳細な説明】
【技術分野】
【０００１】  本発明はベビーカーの改良に関する。
【背景技術】
【０００２】  ベビーカーは外出する際に、保護者が幼児、乳幼児を連れて出るための必需品とされており、ベビーカーは両方の手で押すことにより、安定した操作が可能となる。【０００３】  しかしながら、従来のベビーカーを使用しながら買い物をする場合、片手に買い物かごを持つ必要があるため、もう一方の手でベビーカーを押す必要がある。片手でベビーカーを押すことにより、操作が不安定となるため、人にぶつかる、陳列棚にぶつかるなどの危険な状況になることがあった。【０００４】  従来の買い物かご載せ台は、対面式のベビーカーに接続する場合、子供足が挟まる、買い物かごで子供の様子がみえないという欠点があった。
【先行技術文献】
【特許文献】
【０００５】
【特許文献１】  特開２０１４−３４２１６号公報
【発明の概要】
【発明が解決しようとする課題】
【０００６】  本発明は、以上のような従来の欠点に鑑み、ベビーカーの下方に設けられるベビーカー用買い物かご載せ台を提供することを目的としている。【０００７】  通常の買い物かご載せ台であれば、買い物かごを載せる箇所があるため、両手での買い物かご載せ台を押すことが可能となるが、幼児、特に乳幼児を乗せなければいけないベビーカーには、買い物かごを載せるスペースがない。【０００８】  ベビーカーを使用した状態で買い物をしようとする場合において、片手は買い物かごの持ち手、もう一方はベビーカーの押し手となる。ベビーカーを押し手が片手となるため、操作が不安定となり、人にぶつかる、陳列棚にぶつかるなどの問題があった。【０００９】  特開２０１４−３４２１６によれば、ベビーカーと買い物かご載せ台を接続することで、快適に走行操作ができる買い物かご載せ台となるが、近年のベビーカーには両対面式など様々なベビーカーがあり、対面式のベビーカーに接続する場合、子供足が挟まる、買い物かごで子供の様子がみえないという欠点があった。
【課題を解決するための手段】
【００１０】  上記の目的を達成するために、本発明では、ベビーカーの持ち手下側に買い物かごを載せる箱体とベビーカー等に着脱自在な接続具を一端に有し、ベビーカーを形成するフレームと連結ができ、床面側に設けたキャスターなどでベビーカーに追従できる点に特徴がある。
【発明の効果】
【００１１】  本発明によれば、様々なベビーカーに対応でき、子供の様子も容易に確認が可能である。
【図面の簡単な説明】
【００１２】
【図１】  本発明を実施するための最良の第１の形態の斜視図である。
【図２】  本発明の特徴である対面式のベビーカーに取り付けた場合の図である。
【発明を実施するための形態】
【００１３】  以下、本発明の実施の形態を図面に基づいて説明する。
【００１４】  図１は本発明のベビーカー用買い物かご載せ台の斜視図を示し、具体的にはベビーカー１の持ち手側下方に設けられる大きさの箱体２と、箱体の一端にベビーカーのフレーム取り付けできる接続具３を設け、下方には箱体の脚４にキャスター５を設けている。
【００１５】  接続具３は、例えば、マジックテープの付けられたバンドである。ベビーカー２のフレームの太さに合わせ自在に取り付けができる。
【００１６】  不図示の他の実施例として、箱体２の脚４は分割し、穴などを設け高さの調節ができるような構造を設けても良い。
【００１７】不図示の他の実施例として、箱体２の脚４は、折り畳みができるようヒンジ構造を設けても良い。
【００１８】  図１は、あくまで形状の一例であり、本発明はベビーカー等の手押し車の操作部下方に荷物を載せるカートを設け、荷物をより多く運べ、安全かつ確実に手押し車を操作できるようにすることが最たる部分である。
【産業上の利用可能性】
【００２０】  本発明は、ベビーカー及び買い物かご載せ台を製造する産業で利用される。
【符号の説明】
【００２１】１  ベビーカー
２  箱体
３  接続具
４  箱体脚
５  キャスター
【図１】
2018070129.tif 000003
【図２】
2018070129.tif 000004
(57)【要約】【課題】従来の渋滞監視方法では、自車に関するすべての渋滞を把握できるわけではなく、カメラの画像も地上に設置された特定のカメラの画像となっている。【解決手段】通称：ドライブレコーダーとして、自動車の前方または後方をカメラで撮影して、リアルタイムの画像をメモリに保存する装置が販売されているが、本発明の方法では、車両の前方全般、後方全般ではなく、自動車の車幅方向のいずれか、または両方の端部であって、車幅方向の両端から１００ｍｍ以内に前方を監視するカメラを設置して、リアルタイムの撮影画像を、運転手が必要なときに車内のモニタに映し出すことにより、前方の渋滞状況を確認するようにした。【選択図】図１
2018070128.tif 000002
【特許請求の範囲】
【請求項１】
自動車の車幅方向の左右のいずれかまたは両方の端部であって、車幅方向の両端から１００ｍｍ以内に前方を監視するカメラを設置して、カメラで撮像したリアルタイムの画像を、運転手が必要なときに車内のモニタに映し出して、前方の渋滞状況を確認する、渋滞確認方法。
【請求項２】
カメラがドアミラーの前方に取り付けられていることを特徴とする請求項１記載の渋滞確認方法。
【請求項３】
カメラがヘッドライトの一部又は近傍に前方に向けて取り付けられていることを特徴とする請求項１記載の渋滞確認方法。
【請求項４】
カメラが窓柱に取り付けられていることを特徴とする請求項１記載の渋滞確認方法。
【請求項５】
カメラが屋根梁に取り付けられていることを特徴とする請求項１記載の渋滞確認方法。
【請求項６】
カメラが自動車のボディーに取り付けられていることを特徴とする請求項１記載の渋滞確認方法。
【請求項７】
カメラが自動車のバンパーに取り付けられていることを特徴とする請求項１記載の渋滞確認方法。
【請求項８】
カメラの取付位置を左右のカメラで請求項２〜７を組み合わせたことを特徴とする請求項１記載の渋滞確認方法。
【発明の詳細な説明】
【技術分野】
【０００１】本発明は、カメラを利用した渋滞確認方法に関する。
【背景技術】
【０００２】渋滞監視方法は、従来の技術では、地上設備やＧＰＳを利用して監視するものが一般的である。
（非特許文献：ｈｔｔｐ：／／ｎｉｇｈｔｃｒａｗｌｅｒ．ｂｉｚ／００７／ａｒｃｈｉｖｅｓ／１１２／）
【先行技術文献】
【非特許文献】
【０００３】
【非特許文献１】ｈｔｔｐ：／／ｎｉｇｈｔｃｒａｗｌｅｒ．ｂｉｚ／００７／ａｒｃｈｉｖｅｓ／１１２／
【発明の概要】
【発明が解決しようとする課題】
【０００４】  以上に述べた従来の渋滞監視方法では、自車に関するすべての渋滞を把握できるわけではなく、カメラの画像も地上に設置された特定のカメラの画像となっている。【０００５】  本発明は、このような従来の構成が有していた問題を解決し得るものであり、車の流れが長く止まってしまったときに、渋滞が原因であるものか、その他の原因かを容易に判断し得ることを目的とする。
【課題を解決するための手段】
【０００６】  通称：ドライブレコーダーとして、自動車の前方または後方をカメラで撮影して、リアルタイムの画像をメモリに保存する装置が販売されているが、本発明の方法では、車両の前方全般、後方全般ではなく、自動車の車幅方向のいずれか、または両方の端部であって、車幅方向の両端から１００ｍｍ以内に前方を監視するカメラを設置して、リアルタイムの撮影画像を、運転手が必要なときに車内のモニタに映し出すことにより、前方の渋滞状況を確認するようにした。【０００７】  そのようにすることで自動車が停車する前に、通行帯の右寄りまたは左寄りに停車するようにすれば、モニタに映し出された画像を確認することで、運転手が渋滞なのかどうかを把握することができる。
【発明の効果】
【０００８】  運転手が任意にカメラとモニタ（カーナビゲーションシステムのモニタと共用しても良い）を設置することにより、自車に対する渋滞を運転手が容易に監視できるようになる。
【図面の簡単な説明】
【０００９】
【図１】  本発明の請求項２の発明の実施の形態を示した図である。
【図２】  本発明の請求項３の発明の実施の形態を示した図である。
【図３】  本発明の請求項４の発明の実施の形態を示した図である。
【図４】  本発明の請求項５の発明の実施の形態を示した図である。
【図５】  本発明の請求項６の発明の実施の形態を示した図である。
【図６】  本発明の請求項７の発明の実施の形態を示した図である。
【符号の説明】
【００１０】１  カメラ
【発明を実施するための形態】
【００１１】図１はドアミラーにカメラを設置した場合の実施例である。
【００１２】図２はヘッドライトの一部にカメラを設置した場合の実施例である。
【００１３】図３は窓柱にカメラを設置した場合の実施例である。
【００１４】図４は屋根梁にカメラを設置した場合の実施例である。
【００１５】図５はボディーにカメラを設置した場合の実施例である。
【００１６】図６はバンパーにカメラを設置した場合の実施例である。
【図１】
2018070128.tif 000003
【図２】
2018070128.tif 000004
【図３】
2018070128.tif 000005
【図４】
2018070128.tif 000006
【図５】
2018070128.tif 000007
【図６】
2018070128.tif 000008
(57)【要約】【課題】従来よりもゴミが嵩張らない廃棄物の処理装置を提供しようとするもの。【解決手段】この発明の廃棄物の処理装置は、廃棄物を収容して真空吸引し密封して減容化する減容化機構を作業場に内装するようにした。前記廃棄物の炭化機構を内装するようにしてもよい。従来よりもゴミが嵩張らないことによって、ファーストフード・ショップ、レストラン、家庭などのキッチン、病院、学校、研究室その他の廃棄物の処理の用途に適用することができる。【選択図】なし【特許請求の範囲】
【請求項１】
廃棄物を収容して真空吸引し密封して減容化する減容化機構を作業場に内装するようにしたことを特徴とする廃棄物の処理装置。
【請求項２】
前記廃棄物の炭化機構を内装するようにした請求項１記載の廃棄物の処理装置。
【発明の詳細な説明】
【技術分野】
【０００１】
この発明は、従来よりもゴミが嵩張らない廃棄物の処理装置に関するものである。
【背景技術】
【０００２】
従来、ファーストフード・ショップ等で使用されるゴミ収納容器に関する提案があった（特許文献１）。
すなわち、ファーストフード・ショップ等で使用されているゴミ収納容器は、ゴミ投入口が開口状態に形成されたものや、押付けによりゴミ投入口を常時閉状態に保持する開閉蓋を開放できるものが使用されている。
従来のゴミ投入口が開口状態のゴミ収納容器では内部に投入した使い捨てのハンバーガー収納容器やドリンク収納容器が剥きだし状態となり、見苦しくなるという欠点があった。
また、開閉蓋を備えるゴミ収納容器は、汚れやすい開閉蓋を手で押付けて開放しなければ内部にゴミを投入することができず、使用者がきれいに使用することができないという欠点があった。
従来提案は以上のような従来の欠点に鑑み、トレイ上に載せた使い捨てのハンバーガー収納容器、ドリンク収納容器やゴミ等をトレイで開閉蓋を押付けて開放しトレイを傾斜させることにより、内部へ捨てることができる、きれいに使用できかつ見苦しくなるのを効率よく防止できるゴミ収納容器を提供することを目的とし、内部にゴミ箱を収納することができる収納容器本体と、この収納容器本体に形成したゴミ箱の出入れを行なうことができる開口部と、この開口部を開閉できるように前記収納容器本体に取付けられた開閉扉と、前記収納容器本体の上部寄りの前面部位に形成されたゴミ投入口と、このゴミ投入口を上下方向に開閉する観音開き状の開閉蓋と、この観音開き状の開閉蓋を常時閉状態に保持し、一方の開閉蓋を押付けて開放すると他方の開閉扉も同様に開放することができる開閉蓋作動機構とでゴミ収納容器を構成している。
上記のように構成されたゴミ収納容器は、トレイを下部側の観音開き状の開閉蓋に押付けることにより、下部側および上部側の開閉蓋が開閉蓋作動機構によって開放する。このため、トレイを傾斜させることにより、トレイ上のゴミは収納容器本体内へ落下投入される、というものである。
しかし、このものではゴミが非常に嵩張ってしまうという問題があった。
【先行技術文献】
【特許文献】
【０００３】
【特許文献１】実開平06-014106
【発明の概要】
【発明が解決しようとする課題】
【０００４】
そこでこの発明は、従来よりもゴミが嵩張らない廃棄物の処理装置を提供しようとするものである。
【課題を解決するための手段】
【０００５】
前記課題を解決するためこの発明では次のような技術的手段を講じている。
（１）この発明の廃棄物の処理装置は、廃棄物を収容して真空吸引し密封して減容化する減容化機構を作業場に内装するようにしたことを特徴とする廃棄物の処理装置。
この廃棄物の処理装置は、廃棄物を収容して真空吸引し密封して減容化するようにしたので、空気を抜いた状態に嵩低くすることが出来る。
そして、この減容化機構を作業場に内装するようにしたので、廃棄物の空気を抜いた状態で嵩低く作業場に収容することが出来る。
前記廃棄物として、食べ残し、調理中に出たパン、肉、野菜のくずなどの生ゴミ、ハンバーガーやポテトの紙の容器、サラダやドリンクなどのプラスチックの容器などを例示することが出来る。
前記廃棄物を密封するため、ガスバリア性のフィルムを使用することが出来る。
前記作業場として、ファーストフード・ショップ、レストラン、家庭などのキッチン、病院、学校、研究室などを例示することが出来る。
前記減容化機構を作業場に内装する態様として、例えばファーストフード・ショップの調理台にビルド・インすることが出来る。
【０００６】
（２）前記廃棄物の炭化機構を内装するようにしてもよい。
このように構成すると、前記炭化物は活性炭原料などとして再利用することが出来る。
ここで、密閉した廃棄物は冷暗所に保管しておくことにより、ゴキブリその他の害虫からの衛生面などを担保することが出来る。
そして、炭化機構（例えば900℃以上で3時間）にて炭化することにより、有用な活性炭原料を得ることが出来る。こうすると、膨大な廃棄物を資源に変換して地球環境に利することが出来る。
【発明の効果】
【０００７】
この発明は上述のような構成であり、次の効果を有する。
廃棄物の空気を抜いた状態で嵩低く作業場に収容することが出来るので、従来よりもゴミが嵩張らない廃棄物の処理装置を提供することが出来る。
【発明を実施するための形態】
【０００８】
以下、この発明の実施の形態を説明する。
この実施形態の廃棄物の処理装置は、廃棄物を収容して真空吸引し密封して減容化する減容化機構を作業場に内装するようにした。
前記廃棄物として、食べ残し、調理中に出たパン、肉、野菜のくずなどの生ゴミ、ハンバーガーやポテトの紙の容器、サラダやドリンクなどのプラスチックの容器などを処理するようにした。
前記廃棄物を密封するため、ガスバリア性のフィルムを使用した。
前記作業場として、ファーストフード・ショップ、レストラン、家庭などのキッチン、病院、学校、研究室その他に適用することが出来る。
前記減容化機構を作業場に内装する態様として、ファーストフード・ショップの調理台にビルド・インすることを予定している。
【０００９】
前記廃棄物の炭化機構を内装するようにした。密閉した廃棄物は冷暗所に保管しておくことにより、ゴキブリその他の害虫からの衛生面などを担保することが出来る。
そして、炭化機構（900℃以上で3時間）にて炭化することにより、有用な活性炭原料を得ることが出来た。こうすると、膨大な廃棄物を資源に変換して地球環境に利することが出来た。
【００１０】
次に、この実施形態の廃棄物の処理装置の使用状態を説明する。
この廃棄物の処理装置は、廃棄物を収容して真空吸引し密封して減容化するようにしたので、空気を抜いた状態に嵩低くすることが出来る。
そして、この減容化機構を作業場に内装するようにしたので、廃棄物の空気を抜いた状態で嵩低く作業場に収容することができ、従来よりもゴミが嵩張らないという利点がある。
さらに、前記廃棄物の炭化機構を内装するようにしたので、前記炭化物は活性炭原料などとして再利用することが出来るという利点がある。
【産業上の利用可能性】
【００１１】
従来よりもゴミが嵩張らないことによって、ファーストフード・ショップ、レストラン、家庭などのキッチン、病院、学校、研究室その他の廃棄物の処理の用途に適用することができる。
(57)【要約】【課題】自然の素材で水虫を治す事【解決手段】納豆菌製品を製造することで解決を見る【特許請求の範囲】
【請求項１】
納豆菌による水虫の民間療法
【請求項２】
納豆菌の製品の製造法及び製品
【発明の詳細な説明】
【枝術分野】
【０００１】本発明は水虫の民間療法及び製造法に関するものであり納豆菌を皮膚及び爪に在住さし水虫菌を撃退する。
【背景技術】
【０００２】従来は水虫菌とイタチゴッコ治療である。
【発明の開示】
【発明が解決しようとする課題】
【０００３】しかるべき自然  天然の素材を使用することで安全性をたかめなをかつ。水虫を撃退するという不都合を解決することを課題とする。
【課題を解決するための手段】
【０００４】稲藁を木槌で叩くと硬い茎がのこるさらに叩くと柔らかく細くなる  この藁で靴の中敷きを編み込れ靴を履くと納豆菌が足に充満して在住し水虫菌を撃退せしめる  納豆菌の入る軟膏を作くり塗ることで納豆菌を在住さし水虫菌を撃退せしめる。
【発明の効果】
【０００５】本発明により自然  天然の安全のある納豆菌が在住する事により水虫が治る
【発明を実施するための最良形態】
【０００６】靴の中敷と軟膏を作り使用する事で水虫を撃退せしめる。
【産業上の利用可能性】
【０００７】本発明に係る藁の中敷及び納豆菌入り軟膏は量産できる産業上の利用可能性がある。
(57)【要約】      （修正有）【課題】抗癌剤等のひどい副作用を軽くする為と病院の入院期間や入院費、薬剤代等の治療費を少なくする方法の提供。【解決手段】ＤＮＡからｍ−ＲＮＡへの転写に関与するプロモーターの活動を阻害する物質を、癌等の腫瘍組織に投与する方法であり、直接に、癌等の腫瘍組織に注射針を刺してプロモーターの活動を阻害する物質を投与するか、またはドラッグ・デリバリーに依る方法、若しくは点滴輸液に依って循環器的に投与する方法。【選択図】なし【特許請求の範囲】
【請求項１】
癌等の腫瘍の治療方法
【発明の詳細な説明】
【技術分野】
【０００１】  この発明は、医学分野の癌等の腫瘍の治療方法に関する。
【発明の概要】
【０００２】  この発明は、抗癌剤等に比べて副作用が殆どない、しかも病院の入院期間を短くし、薬剤代を少なくして治療期間と治療費を少なくする、癌等の腫瘍の治療方法に関する物である。
【背景技術】
【０００３】  癌等の腫瘍は、腫瘍として見つかると、抗癌剤等で腫瘍を小さくしてから外科的な手術によって摘出するのが今までであり、抗癌剤は吐き気等の副作用がひどく、また、腫瘍が第３期や第４期にまで進むと病院に入院する期間も長くなり、病院の入院費や薬剤代等の治療費も相当にかかる。
【発明の開示】
【発明が解決しようとする課題】
【０００４】  今までは、癌等の腫瘍は、腫瘍として見つかると、抗癌剤等で腫瘍を小さくしてから外科的な手術で摘出して治療しており、抗癌剤は吐き気等の副作用がひどく、また、腫瘍が第３期や第４期にまで進むと病院に入院する期間も長くなり、病院の入院費や薬剤代等の治療費も相当にかかる。この抗癌剤等のひどい副作用を軽くする為と病院の入院期間や入院費、薬剤代等の治療費を少なくする方法である。
【課題を解決するための手段】
【０００５】  癌等の腫瘍は、正常な細胞に比べて細胞分裂が激しく、異常にグルコース等のエネルギーを消費する為に、腫瘍細胞自身がサイトカインを産生して、腫瘍細胞の周りに毛細血管を多量に作り、癌細胞としての活動や細胞分裂を繰り返す。癌細胞を単なる細胞として見ると、正常な細胞とは違い、細胞の分裂限界が無くなっており、異常にエネルギーを消費する細胞であり、細胞自体の活動も活発である。生物学的に癌細胞を見ると、細胞の活動が活発である事から、正常な細胞よりも活発に癌細胞の核内のプロモーターに依ってＤＮＡからｍ−ＲＮＡへの転写・スプライシングが頻繁に起こっており、これに依って癌細胞の呼吸や酵素反応などの物質代謝が行われている。この癌細胞の核内のＤＮＡからｍ−ＲＮＡへの転写に関与するプロモーターの、ＤＮＡへの接着や開始コドンの認識、ｍ−ＲＮＡへの転写等を阻害すれば、ｍ−ＲＮＡは産生されずに、ポリペプチドや酵素等のタンパク質が作られずに細胞自体の活動が停止し、癌細胞は長くとも数時間で呼吸や活動が停止して死滅（アポトーシス）して行く。そして、癌等の腫瘍組織は縮んで行き、外科的な手術で腫瘍を摘出する必要も無い。
必要なのは、ＤＮＡからｍ−ＲＮＡへの転写に関与するプロモーターの活動を阻害する物質を、癌等の腫瘍組織に投与する方法である。直接に、癌等の腫瘍組織に注射針を刺して、プロモーターの活動を阻害する物質を投与するか、ドラッグ・デリバリーに依る方法で、点滴輸液に依って循環器的に投与するか、である。
【発明の効果】
【０００６】  この発明により、癌等の腫瘍の治療は、今までの様に抗癌剤に依る副作用も殆ど無く、また、細胞の性質・機能を上手く使った方法なので、外科的な手術で腫瘍組織を摘出する必要も無く、病院等の入院期間も短くなり、薬剤代も少なく、治療費全体も格段に少なくなる。
【手続補正書】
【提出日】平成29年10月10日(2017.10.10)
【手続補正２】
【補正対象書類名】明細書
【補正対象項目名】０００５
【補正方法】変更
【補正の内容】
【０００５】  癌等の腫瘍は、正常な細胞に比べて細胞分裂が激しく、異常にグルコース等のエネルギーを消費する為に、腫瘍細胞自身がサイトカインを産生して、腫瘍細胞の周りに毛細血管を多量に作り、癌細胞としての活動や細胞分裂を繰り返す。癌細胞を単なる細胞として見ると、正常な細胞とは違い、細胞の分裂限界が無くなっており、異常にエネルギーを消費する細胞であり、細胞自体の活動も活発である。生物学的に癌細胞を見ると、細胞の活動が活発である事から、正常な細胞よりも活発に癌細胞の核内のプロモーターに依ってＤＮＡからｍ−ＲＮＡへの転写・スプライシングが頻繁に起こっており、これに依って癌細胞の呼吸や酵素反応などの物質代謝が行われている。この癌細胞の核内のＤＮＡからｍ−ＲＮＡへの転写に関与するプロモーターの、ＤＮＡへの接着や開始コドンの認識、ｍ−ＲＮＡへの転写等を阻害すれば、ｍ−ＲＮＡは産生されずに、ポリペプチドや酵素等のタンパク質が作られずに細胞自体の活動が停止し、癌細胞は長くとも数時間で呼吸や活動が停止して死滅（ネクローシス）して行く。そして、癌等の腫瘍組織は縮んで行き、外科的な手術で腫瘍を摘出する必要も無い。
必要なのは、ＤＮＡからｍ−ＲＮＡへの転写に関与するプロモーターの活動を阻害する物質を、癌等の腫瘍組織に投与する方法である。直接に、癌等の腫瘍組織に注射針を刺して、プロモーターの活動を阻害する物質を投与するか、ドラッグ・デリバリーに依る方法で、点滴輸液に依って循環器的に投与するか、である。
(57)【要約】【課題】美術工芸品などを装飾するのに用いる金箔に関し、白金箔と同等の白色光沢を備え、未熟練者でも比較的容易に製造することができる白色箔を提供する。【解決手段】金に対してパラジウムを重量比で９０：１０〜８０：２０、好ましくは９０：１０〜８５：１５の割合で含む合金からなる装飾用の箔である。金とパラジウムの他に、金に対するパラジウムの割合より少ない割合で銀、銅その他の金属が含まれていてもよい。箔の厚さは、従来の金箔と同等の０．１〜０．３ミクロンである。【選択図】なし【特許請求の範囲】
【請求項１】
金を主成分としてパラジウムを含み、金対パラジウムの重量比が９０：１０を超え８０：２０以下の合金により製作した白色金箔。
【請求項２】
金を主成分としてパラジウムを含み、金対パラジウムの重量比が９０：１０を超え８５：１５以下で、パラジウムの含有量より少ない量の銀又は銅からなる合金により製作した白色金箔。
【請求項３】
箔打ちにより０．１〜０．３ミクロンの厚みに形成された請求項１又は２に記載の白色金箔。
【発明の詳細な説明】
【技術分野】
【０００１】
本発明は、美術工芸品などを装飾するのに用いる金箔に関するものである。
【背景技術】
【０００２】
従来、 葬祭用具や美術工芸品などの表面の装飾に用いる箔として、金箔，白金箔（プラチナ箔）、銀箔，洋箔と呼ばれる銅亜鉛合金箔などが用いられている。これらの箔のうち、装飾効果の観点から、金色箔としては金箔が、白色箔としては白金箔が主に用いられている。
【０００３】
金箔と呼ばれている箔は，金を主成分とするが、通常、重量％で銀を０．５〜９％、銅を０．５〜１％を含む箔である。一方、白色箔としての白金箔は、通常、純白金から製造されている。
【０００４】
一方、ホワイトゴールドと呼ばれる合金として、金−パラジウム合金や金−ニッケル合金が知られている。金−パラジウム合金は、金に数％のパラジウムを混入すると黄金色が消え白色に変わりはじめ、１５％以上混入すると黄金色がほとんど消えて白色になることを利用したものである。
【０００５】
しかし、ホワイトゴールドから箔を製造することは、従来、行われておらず、装飾に使われる金箔のような薄い箔を経済的に製造できるかどうかも未知であった。金−パラジウム合金の箔としては、金箔の変色を防止するために、パラジウムを混入することが特許文献１で提案されている。すなわち、特許文献１は、金・パラジウムの比率を０．９０／０．１０〜０．９９８／０．００２とすることにより、また、第３成分として、銀、銅から選ばれた１種又は２種乃至３種を０．００１〜０．０５部を添加することで、金箔の黄金色が変色するのを防止できるとしている。
【先行技術文献】
【特許文献】
【０００６】
【特許文献１】特開２００４‐２０４３１０号公報
【発明の概要】
【発明が解決しようとする課題】
【０００７】
前述したように、白色箔として白金を原料とした白金箔が従来から用いられているが、白金は金に比べて硬く、箔に延ばすのに高度の熟練が必要である。近年、熟練箔打ち作業者の減少により、白金箔の需要に対応できていない。
【０００８】
この発明は、白金箔と同等の白色光沢を備え、未熟練者でも比較的容易に製造することができる白色箔を提供することを課題としている。
【課題を解決するための手段】
【０００９】
この発明は、主成分である金に対してパラジウムを重量比で９０：１０〜８０：２０、好ましくは９０：１０〜８５：１５の割合で含む合金からなる装飾用の箔を提供することにより、上記課題を解決している。前述したように、金箔と呼ばれる箔には通常銀や銅が含まれている。この発明の白色金箔にも、金とパラジウムの他に、金に対する含有量が上述した程度の割合で銀や銅その他の従来から黄金色の金箔を製造する際に含まれることのある金属が含まれていてもよい。箔の厚さは、従来の金箔と同等の０．１〜０．３ミクロンである。
【発明の効果】
【００１０】
この発明により、白金箔と同等の優美で高級感のある白色光沢を有し、変色のない安定した白色箔を提供できる。また、金箔と同程度の技術で箔を製造することができ、白金箔に比べて製造が容易である。
【発明を実施するための形態】
【００１１】
この発明の白色金箔は、通常の金箔と同様な以下の工程で製造される。まず、金とパラジウムの割合が重量比で９０：１０〜８５：１５の割合となるように金にパラジウムを混入し、更に必要に応じて従来組成の金箔を製造するときと同程度の割合で銀や銅を添加して溶解して金−パラジウム合金を製作し，これをシート状に圧延した後切断して延金を製造する。
【００１２】
次に得られた延金を槌打して中間段階の箔である約１ミクロンの厚さの中間箔を製造し、さらにこの中間箔を箔打ち紙で挟んで積層して槌打するいわゆる箔打ちにより、厚さ約０．１〜０．３ミクロンの箔に仕上げる。
【００１３】
この発明の発明者らが行った試験によれば、パラジウムの混入量が数％（試験では３％）であるときは、０．１〜０．３ミクロンまで箔打ちして得られる金箔はピンク色を呈する。パラジウムの混入量が１０％を超えると０．１〜０．３ミクロンまで箔打ちして得られる金箔は、美しい白色光沢を呈するようになる。パラジウムの混入量を１５％以上にすると、貴金属特有の優美な表面光沢が徐々に失われて行き、観察者によっても評価は異なるが、２０％を超えると高級感のある装飾性が失われる。これに伴って、耐変色性も低下すると考えられる。
(57)【要約】【課題】  ペットボトルの穴あきキャップに使い捨てストローを差し込み使用するとき、倒伏に伴う液漏れを防止することを課題とする【解決手段】  折り曲げられたストロー上端部を嵌め込む導入口が、ストローの直径より狭隘に形成されており、キャップとフランジ部によって狭窄固定されているストローキャッチ具【選択図】図１
2018070261.tif 000002
【特許請求の範囲】
【請求項１】
ペットボトルキャップとボトルフランジ部によって狭窄固定されることを特徴とするストローキャッチ具。
【請求項２】
ストローを嵌め込む導入口の間隔がストロー直径よりも狭隘な構造を持つことを特徴とする請求項１に記載のストローキャッチ具。
【発明の詳細な説明】
【技術分野】
【０００１】  本発明は、ペットボトルの穴あきキャップに使い捨てストローが差し込まれており、当該ストローの上部を逆Ｖ字型に曲げたときに、曲げられたストロー上端部をキャッチする用具に関する。
【背景技術】
【０００２】  ペットボトルの穴あきキャップにストローが差し込まれているとき、当該ストローの上端部を逆Ｖ字型に曲げるとペットボトルが倒伏してもストローより飲料水が漏れることがない。逆Ｖ字型に折り曲げることで簡易な栓の役割を果たすことが知られている。【０００３】  しかし、これまで曲げられた上端部をキャッチする用具がなかったので、ペットボトルの穴あきキャップに使い捨てストローを差し込み使用するという方法は普及しなかった。【０００４】ところで、例えば、特開２０１３−１１２４０５公報には、ストロー付きキャップなるものが開示されている。ストローとキャップを一体化することで液漏れを防止するものである。【０００５】  しかし、ストロー付きキャップは高価なためストローを使い捨てにすることができない。使い捨てストローを使って洗浄等の労力削減を図りたいという看護、医療現場のニーズに応えることができない不便があった。
【先行技術文献】
【特許文献】
【０００６】
【特許文献１】特開２０１３−１１２４０５公報
【発明の概要】
【発明が解決しようとする課題】
【０００７】  本発明は、前述したニーズに鑑みてなされたものである。使い捨てストローを利用して、かつ倒伏に伴う液漏れを防止するための用具を提供することを目的とする。
【課題を解決するための手段】
【０００８】本発明に係るストローキャッチ具は、
針金状の金属、及び合成樹脂の少なくとも一つから作製される。【０００９】  ボトルキャップとフランジ部によって狭窄固定するためにペットボトルのねじ部の外径と同一の内径をもつ円環構造が形成されており、かつ曲げられたストローを嵌め込む導入口の大きさがストロー直径よりも狭隘な構造で形成されるストローキャッチ具である。
【発明の効果】
【００１０】  本発明の用具によれば、Ｖ字型に曲げられたストロー上端部を容易にキャッチして曲げた状態を維持できるので倒伏に伴う液漏れを防止することができる。
【図面の簡単な説明】
【００１１】
【図１】図１（ａ）は、本発明に係るストローキャッチ具が示された平面図である。図１（ｂ）は、実施例ストローキャッチの使用状態を表した正面図である。
【発明を実施するための形態】
【００１２】  以下、本発明の実施形態について図面に基づいて説明する。
【００１３】  図１平面図（ａ）において、ペットボトルのキャップねじ部の外径と同一の内径をもつ直径２５ｍｍ〜３０ｍｍの  円環構造が形成されていることを示している。
【００１４】  図１正面図（ｂ）において、ストローキャッチ具の装着状態が示されている。ストローキャッチ具は、キャップとフランジ部によって狭窄固定されていることを示している。これにより、接着剤などを使用せず、ボトルの飲み口から嵌め込みキャップとフランジ部によって狭窄固定するので簡易に取り付けが可能である。
【００１５】  図１平面図（ａ）において、曲げられたストローを嵌め込み固定するためのハート型突起部の構造が示されており、ストローを嵌め込む導入口の間隔が、ストロー直径よりも狭隘な２ｍｍ〜６ｍｍの間隔を有する構造で形成されていることを示している。
【００１６】  ハート型突起部の構造により、狭隘な導入口から嵌め込まれたストローは、ストローの弾性により直ちにストロー本来の直径に戻り、狭隘な導入口によって飛び出しを阻害され固定される。他方、ストローをキャッチ具から外すことは容易であり、ストローの機能を失わせることがない。
【００１７】図１平面図（ａ）において、ストローキャッチ具が断線することなく、１本の針金状の物から作製されていることを示している。
【００１８】針金状の物１は、太さ０．３ｍｍ〜３．０ｍｍからなる鉄、アルミニウム又はアルミニウム合金、ステンレス鋼、銅又は銅合金などの少なくともいずれか一つから作製される。
【００１９】  本実施形態では、ストローキャッチ具の材料として針金が採用されている。作製が簡易であるために針金が好ましいが、合成樹脂を成型硬化させたプラスチックなどの他の材料も選択しうる。
【符号の説明】
【００２０】      １・・・ストローキャッチ具
２・・・ストロー
３・・・キャップ
４・・・フランジ
５・・・ペットボトル本体
【図１】
2018070261.tif 000003
(57)【要約】【課題】  我々の暮らしに必要な電気機器は、配線（コード、ケーブル類）接続によって便利になり、それに比例して配線の本数も多くなり電気機器のデザインは綺麗でも、ケーブルの多くは、纏めようもない自然放置が、現実である。配線が簡単に収納することで、整理整頓管理が、容易にする。【解決手段】  スマートフォンやデジタルカメラなど、デジタル化による電気機器は、配線（コード、ケーブル）の種類が異なり、そのために、管理が大変です。簡単に収納できることで、その課題を解決するために開発した。【選択図】図１
2018070260.tif 000002
【特許請求の範囲】
【請求項１】
楕円リング形状に高さあり、開口された空間を有する楕円形構成され、その開口は、手で束ねたコイル状態のケーブルを挿入しうる程度の大きさあって、開口空間の楕円形状リングに束ねた状態のケーブルを挿入し、挿入後コイル状態（ケーブル）の中央で、止めることで、ケーブル挟持部が備えられていることを特徴とするケーブル収納具。
【発明の詳細な説明】
【発明の詳細な説明】
【技術分野】
【０００１】  本発明は、スマートフォン及び家電も含め、電源供給及び電気機器同士のケーブルは、頻繁に使用することになり、また、電気機器別にケーブルが異なるため、ケーブル環境の管理が困難である、すなわちケーブル収納具に関する。
【背景技術】
【０００２】  上記ケーブルは、特にスマートフォンが、電力消費が速いため、常にケーブルで充電している。しかも、約１ｍあるものを簡単に収納具するものはない。【０００３】  従来は、ロープのように結わくか、手で纏めて結束具で結束するか、自然状態に放置していた。また、電気機器本体に巻き付けることで、時間と共にケーブル内の断線が起こすもとになるため、ケーブルの収納具は大きな課題である。
【先行技術文献】
【特許文献】
【０００４】
【特許文献】  特許第４８５７１６９号  請求項１・２文献を参考
【発明の開示】
【発明が解決しようとする課題】
【０００５】  近年、スマートフォンやデジタルカメラの普及と共に、充電や電気機器同士を頻繁に接続するため、ケーブルを持ち運ぶことも多くなり、電気機器別にケーブルの種類が異なるため、ケーブルの管理も同時に難しくなっている、その結果、同じようなケーブルを、多数保有することで、管理が困難なり身の回りのケーブルが、混乱している。【０００６】  本発明は、上記の問題を解消するためになされたものであり、ケーブルを簡単に収納し、持ち運びもとに種別を提供することを目的とする。
【課題を解決するための手段】
【０００７】  上記目的を達成するため、本発明によるケーブル収納具は、楕円リングに開口された収納空間に、手で束ねたコイル状態にしたケーブルを挿入しうる程度の大きさあって、コイル状態（ケーブル）の中央部あたりまで止めると、ケーブルはコイル状態まま、弾力で膨らみ挟持部（摩擦力）される、逆にケーブルを取り出す時は、ケーブルを引っ張るだけである。（請求項１）
【発明の効果】
【０００８】  請求項１の発明によれば、ケーブル収納具は楕円リングに高さあり、固定されている収納空間を有するリングで構成され、その開口は、束ねた状態にしたケーブルを挿入しうる程度の大きさあって、ケーブルの中央部あたりで止めると、ケーブルはコイル状態（ケーブル）まま弾力で膨らみ挟持部（摩擦力）される、楕円リングとコイル状態（ケーブル）は挟持部し、収納具の役割を果たす。また、開放する時はコイル状態（ケーブル）を引っ張るだけで有る、この結果、特別な動作をせずに、ケーブル収納具を提供することができる。
【図面の簡単な説明】
【０００９】
【図１】ケーブルと収納具が固定された図（写真）である。
【図２】コイル状態のケーブルが、弾力で膨らみ挟持部（摩擦力）している断面Ａ−Ａである。
【図３】本発明に係るケーブル収納具の斜視図・正面図・平面図・断面Ａ−Ａ（三角法）である。
【図４】ケーブル収納具の収納の動作（写真）。
【発明を実施するための形態】
【００１０】  以下、本発明の実施の形態を図１〜図４に基づき説明する。
【００１１】  図１に示すように、本発明のケーブル収納具１は、楕円リング形状に高さあり、束ねた状態（コイル状態）のケーブル２を挿入しうる大きさに開口された収納空間を有する楕円リングで構成されている。また、楕円リングの内側は、大きな面取りをすることで、挿入を容易にし、ケーブル側は、傷を付けない構想にしている。
【００１２】  従って、図２（図１断面Ａ−Ａ）に示すように、収納後ケーブル（コイル状態）２が、コイル状態のため、ケーブル内で膨らむ力（弾力）あるので、ケーブル収納具１とケーブル２は摩擦力で挟持部される。また、ケーブル収納具１からケーブル２を、解放する時は、ケーブル２を引っ張るだけである。
【００１３】  この結果、図３の形状（ケーブル収納具１）で、簡単に収納できる。
【００１４】  図４は、上記内容の流れ示した図（手で丸め、挿入し、固定）である。
【符号の説明】
【００１５】  １    ケーブル収納具
２    ケーブル
３    挿入
４    コイル状態でケーブル２が膨らむ
５    手（人間の手）
【図１】
2018070260.tif 000003
【図２】
2018070260.tif 000004
【図３】
2018070260.tif 000005
【図４】
2018070260.tif 000006
(57)【要約】【課題】従来、氷氷水を入れた発泡魚箱にポリエチレン系の樹脂でできた袋（ポリ袋）を使用して、鮮魚の詰め作業を行っている。袋の開閉が作業の手間を増やし、鮮度の維持の時間と人手が費やされている。また、氷と鮮魚の接触による「ヤケ」防止のため、氷・氷水の上に断熱シートを置く場合もあり、コストと手間がかかっている。【解決手段】発泡魚箱の内寸に沿った氷・氷水の容量を計算した中皿を作り、上辺部を発泡魚箱上辺に薄く載置する縁を形成にすることにより、発泡魚箱の蓋を閉じる際のパッキングの役目を持たせることにする。形状を考慮しコストを重視する為、耐寒用オレフィンシートをシート成形で作成する。作成した中皿を氷・氷水を入れた発泡魚箱に設置すれば、作業の簡素化・スピードともに向上し、全体コストの削減と鮮度の維持が図れる。【特許請求の範囲】
【請求項１】
使用する発泡魚箱の内寸に沿った開口径を持ち、必要な氷・氷水の入る量を計算した深さを持ち、発泡魚箱本体上辺部に重なるべく載置される縁を持つ形状の容器を、耐寒用オレフィンシートを原料としたシート成形した容器。
【発明の詳細な説明】
【技術分野】
【０００１】  鮮魚加工現場での貯蔵・輸送を目的とした容器
【背景技術】
【０００２】  従来、氷・氷水を入れた発泡魚箱にポリエチレン系の樹脂でできた袋を使用して鮮魚の詰め作業を行っている。袋の開閉が作業の手間を増やし、鮮度の維持を図る時間と人手が費やされている。また、氷と鮮魚の接触による「ヤケ」防止のため、氷・氷水の上に断熱シートを置く場合もあり、コストと手間がかかっている。
【先行技術文献】
【特許文献】
【０００３】
【特許文献１】特開２０１０−２５４３０９
【非特許文献】
【０００４】
【非特許文献１】実登３０９８９４３
【発明の概要】
【発明が解決しようとする課題】
【０００５】  発泡魚箱に鮮魚を詰める際、発泡魚箱に氷・氷水を詰め、「ヤケ」防止のため、断熱シートを氷・氷水の上に置き、鮮魚を入れるためのポリエチレン袋を断熱シートの上に開き、注意しつつ鮮魚の詰め作業を行う。【０００６】  本発明は鮮魚を発泡魚箱に詰める作業を簡素化し、生産コストを下げ、鮮度の維持を向上させるための容器である。
【課題を解決するための手段】
【０００７】  使用する発泡魚箱の内寸に沿った開口径を持ち、必要な氷・氷水の入る量を計算した深さを持ち、発泡魚箱本体上辺部に重なるべく載置される縁を持つ形状の容器を、耐寒用オレフィンシートを原料としシート成形した容器（中皿）を発泡魚箱に設置し、鮮魚の詰め作業を行う。
【発明の効果】
【０００８】  従来と違って先ず断熱シートが要らない。従来のポリエチレン袋と違って投入口が広く安定しているので、作業の簡素化が図れる。すなわち鮮度の維持が向上している。上辺部の中皿の縁は、発泡魚箱の蓋を占める際のパッキングになっている。
【図面の簡単な説明】
【０００９】
【図１】本発明の中皿外観図
【図２】発泡魚箱に中皿を設置した図
【発明を実施するための形態】
【００１０】  発泡魚箱に氷・氷水を必要量いれ、本発明の中皿を設置したら、詰め作業がすぐに開始できる。
【実施例】
【００１１】  外房捕鯨の鯨肉ブロックの保管作業で効果を確認。
【産業上の利用可能性】
【００１２】  船上鮮魚の保管作業、鮮魚加工場での保管作業に最適。
【符号の説明】
【００１３】  ａ・ｂ  発泡魚箱本体上部内寸＝中皿上部外寸
ｃ      発泡魚箱本体深さ
ｃ‘    中皿深さ
【図１】
2018135150.tif 000002
【図２】
2018135150.tif 000003
(57)【要約】【課題】    初心者や高齢者で車間距離の感覚や、車道の白線に対する車幅の感覚に自信が持てない状態で不安な運転をしている自覚がありながら、経済的な理由から安全支援システム付きの車に乗り換えられない人がワンタッチで取付けられる安全運転支援用具の提供。【解決手段】  課題を解決する為に、ドライバーの正面の視界に合わせ、フロントガラスに映像がクッキリと投影される様に特定の間隔のバーマークの画像をカードにプリントした。特定の角度に折り曲げたカードの片方の端をフロントガラスとフロントパネルの隙間に差し込み、固定する。フロントガラスに映された特定の間隔のバーマークの画像が自分の車と前の車の遠近の目安の定規の役割をすることにより、より正確な車間距離を把握し、安全な車間距離を維持できる様にした。【選択図】図１
2018135021.tif 000002
【特許請求の範囲】
【請求項１】
フロントガラスの厚みにより反射光の境界が二重になる事を避ける為の特定の間隔のバーマークを黒色上に高輝度の色をプリントしたカードの高輝度のバーマークに光が当たり、反射光でフロントガラスにクッキリとバーマークが映し出され、前を走る車との車間距離の目安が分かり、安全運転の支援が出来る事を特徴とする車間距離維持カード。
【請求項２】
フロントパネルとフロントガラスの隙間に、差し込むだけで、固定出来る様にカードの、差し込み側の端を二重に折り、抜け防止兼フロントパネルからの浮き上がり防止の特定の角度の折り目を付け、両端に過挿入防止のストッパー用の折切部を設け、簡単に取り付け、固定が出来る事を特徴とする請求項１に記載の車間距離維持カード。
【発明の詳細な説明】
【技術分野】
【０００１】
本発明は、自動車の運転で前を走る車との車間距離をより安全に維持する為に簡単に取り付け、取り外しが可能な用具に関するものである。
【背景技術】
【０００２】
車の安全運転支援システムは各自動車メーカーにより各種の検知器等を駆使して開発され販売されている。しかしこれらは新たに車を買い替えなければ利用できない。
現実的には明日から、これらの技術を利用して安全運転に心がけようと言う訳には行かない。
【０００３】
車を運転するほとんどの人がこのような支援ツールが簡単に手に入り、容易に利用できるものであれば利用したいが、経済的、時間的な制約で利用出来ない人が多い。
【０００４】
これに応えようと「特許６０４１４１２」の特許を取得したが、簡単に取り付け、取り外しが出来ないと言う欠点があった。
【０００５】
この改善策として、「シート」を「カード」に置き換えると言う発想で、貼り付け型から、はめ込み型に切り替え、同じ機能でワンタッチ取り付け可能な車間距離維持カードを開発した。
【先行技術文献】
【特許文献】
【０００６】
【特許文献１】特開平７−２６６９２５
【特許文献２】特許６０４１４１２
【０００７】
【発明の概要】
【発明が解決しようとする課題】
【０００８】
解決しようとする問題点は、高齢者や初心者が自動車を運転する時、追突を回避する為に安全な車間距離を維持する支援ツールを容易に手に入れ、取り付けられる様にする事である。
【課題を解決するための手段】
【０００９】
本発明は、上記課題を解決する為に、ドライバーの正面の視界に合わせ、フロントガラスに映像が投影される様にストライプ状の画像を印刷し、差込んで取り付けられる様に、特定の角度に折り曲げたカードの片方の端をフロントガラスとフロントパネルの隙間に差し込み固定する事により自分の車と前の車の遠近の目安の定規の役割をすることにより、より正確な車間距離が把握できる仕組みを利用することにより、車間距離を維持する様にした。
【発明の効果】
【００１０】
本発明の車間距離維持カードを使用することにより、初心者や高齢者が前の車との間隔や横の白線との間隔を保つ為の補助具として安全運転に寄与できる。
【図面の簡単な説明】
【００１１】
【図１】図１は本発明の車間距離維持カードをフロントパネルに取付ける状態を示したものである。
【図２】図２は車間距離維持カードをフロントパネルに取付けた状態を運転席から見た図である。
【図３】図３は車間距離維持カードをフロントパネルに取付けた状態を横から見た図である。
【図４】図４は車間距離維持カードの正面図である。
【図５】図５は車間距離維持カードの側面図である。
【発明を実施するための形態】
【００１２】
本発明の実施形態を図１〜図５に基づいて説明する。
【００１３】
図１は、本発明の車間距離維持カードをフロントパネルに取付ける状況を示したものである。
【００１４】
図２は、取り付けた車間距離維持カードを運転席から見たカードの取付け効果が良くわかる図である。
【００１５】
図３は車間距離維持カードがどのような仕組みで、カード一枚で車間距離を把握することが出来ているかを示している図である。
【００１６】
図４は車間距離維持カードの画像の仕組みを示した図である。
【００１７】
図５は車間距離維持カードのフロントパネルに差し込むだけで固定出来る仕組みを示した図である。
【実施例１】
【００１８】
図１は本発明の実施例を示す。
【産業上の利用可能性】
【００１９】
初心者や高齢者で車間距離の感覚や車道の白線に対する車幅の感覚に自信が持てない状態で不安な運転をしている自覚がありながら、経済的な理由から安全支援システム付きの車に乗り換えられない人が、ワンタッチで取付ける事により安全運転に貢献する。
【符号の説明】
【００２０】
１前を走っている車、２車間距離（フロントガラスの透明な画像）、３ハンドル
４安全な車間距離（車間距離維持カードの着色したバーマーク画像）、５ドライバー、
６フロントガラス、７フロントパネル、８車間距離維持カードに当たる光、９白線、
１０車間距離維持カード、１１固定用差し込み部、１２過挿入防止の折部
【図１】
2018135021.tif 000003
【図２】
2018135021.tif 000004
【図３】
2018135021.tif 000005
【図４】
2018135021.tif 000006
【図５】
2018135021.tif 000007
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
ドライバーの正面の視界に合わせ、フロントガラスに映像が投影される様にストライプ状のバーマーク画像を印刷し、バーマークに光が当たり、反射光でフロントガラスにバーマークが映し出されることで前を走る車との車間距離の目安が分かるようにした車間距離維持カードにおいて、  フロントパネルとフロントガラスの隙間に差し込むだけでカードを取り付け、固定出来るように、カードの差し込み側の端を二重に折り、抜け防止兼フロントパネルからの浮き上がり防止の特定の角度の折り目を付け、両端に過挿入防止のストッパー用の折部を設けたことを特徴とする車間距離維持カード。
(57)【要約】【課題】  摩擦等に因って帯電して、天然繊維や人工合成繊維が必ず起こす静電気に依って起こる生地の黒ずみや火花が飛んで人が軽く感電する程の高電圧の静電気を完全に発生しない様にする方法。【解決手段】  この為、この発明に於いては、ヨウ素を添加したポリアセチレンやＤＭｃＴ、ポリ−ｐ−フェニレン、ポリ−ｐ−フェニレンビニレン、ポリチオフェン、ポリピロール、ポリアニリン等の、分子構造の炭素骨格部に二重共有結合を持っている導電性高分子を繊維にして、セーターや毛糸を作るアクリル繊維やポリエステル繊維等に「静電気を除去する導電性繊維」として混ぜ込んで混紡とし、この糸で毛糸を作り、セーター等を編む。摩擦に因ってアクリル繊維やポリエステル繊維が帯電しても混紡してある導電性繊維から電子が供給されて、帯電したアクリル繊維やポリエステル繊維の帯電は完全に消えて、毛糸やセーターは静電気を帯びる事は無い。必要なのは、繊維にし易い導電性高分子の選択と導電性繊維とした場合に、摩擦でアクリル繊維などが帯電しても生地自体が静電気を帯びない程度の導電性繊維の混紡の割合などである。【特許請求の範囲】
【請求項１】
静電気の起きない繊維を使って、静電気の起きない毛糸やセーターを作る方法
【発明の詳細な説明】
【技術分野】
【０００１】  この発明は、有機化学分野に関する物である。
【発明の概要】
【０００２】  この発明は、静電気の起き易い毛糸やセーターを静電気が起きない繊維を使う事に依って、全く静電気の起きない毛糸やセーター、布を織る為の繊維を作る方法である。
【背景技術】
【０００３】  自然界に在る天然繊維、綿や羊毛、絹、人工的に合成された繊維、６６ナイロン、アクリル、ポリエステル、レーヨン、ポリウレタン等は、化学的にはモノマーが多数つながった高分子であり、物理的には炭素を骨格として共有結合をしている絶縁体であり、対電子に依る１本鎖の共有結合をしている為に、共有結合している電子が隣の炭素原子等に移動する事が出来ず、摩擦等に因って炭素原子や酸素原子、水素原子、窒素原子等から電子が奪われると天然繊維も人工合成繊維も必ず帯電して、乾燥した湿度の低い冬等には毛糸で編んだセーターや絹、羊毛は帯電して高電圧を発生して、周囲の細かい埃を吸い寄せて生地が黒ずんだり、セーターを脱ぐ時には火花が飛んで、人が軽く感電する程に静電気を帯びる。
【発明の開示】
【発明が解決しようとする課題】
【０００４】  摩擦等に因って帯電して、天然繊維や人工合成繊維が必ず起こす静電気に依って起こる生地の黒ずみや火花が飛んで人が軽く感電する程の高電圧の静電気を完全に発生しない様にする方法。
【課題を解決するための手段】
【０００５】  この為、この発明に於いては、ヨウ素を添加したポリアセチレンやＤＭｃＴ、ポリ−ｐ−フェニレン、ポリ−ｐ−フェニレンビニレン、ポリチオフェン、ポリピロール、ポリアニリン等の、分子構造の炭素骨格部に二重共有結合を持っている導電性高分子を繊維にして、セーターや毛糸を作るアクリル繊維やポリエステル繊維等に「静電気を除去する導電性繊維」として混ぜ込んで混紡とし、この糸で毛糸を作り、セーター等を編む。摩擦に因ってアクリル繊維やポリエステル繊維が帯電しても混紡してある導電性繊維から電子が供給されて、帯電したアクリル繊維やポリエステル繊維の帯電は完全に消えて、毛糸やセーターは静電気を帯びる事は無い。必要なのは、繊維にし易い導電性高分子の選択と導電性繊維とした場合に、摩擦でアクリル繊維などが帯電しても生地自体が静電気を帯びない程度の導電性繊維の混紡の割合などである。
【発明の効果】
【０００６】  この発明に依り、毛糸やその毛糸で編んだセーター等に静電気が起こらず、乾燥した冬場に火花が飛んで、人が感電する程の高電圧の静電気が発生する事や、周囲の細かい埃を吸い付ける事に依って絹などの生地が黒ずむ事は無くなる。